(57)【特許請求の範囲】
【請求項１】
縦方向本体と、ベースとを備える引き出しスライドレールであって、
前記縦方向本体は、一対の第一サイド壁と一対の第二サイド壁とを有し、前記一対の第一サイド壁は、前記縦方向本体の前端部の両側から延伸し、前記一対の第二サイド壁は、前記一対の第一サイド壁に連接し、前記縦方向本体の両側から、縦方向本体の後端部まで延伸し、前記第一サイド壁は第一高度を有し、前記第二サイド壁は第二高度を有し、前記第二高度は前記第一高度より高く、
前記ベースは、前記縦方向本体の前端部に取り付けられ、第一サポートアーム、第二サポートアーム及び第三サポートアームを有し、前記第一サポートアームは第一面を有し、前記縦方向本体の一対の第一サイド壁のうちの一つの底部の一部分に接触し、前記第二サポートアームは、前記縦方向本体の一対の第二サイド壁のうちの一つの底部の一部分に接触し、前記第三サポートアームは、前記縦方向本体の前記一対の第二サイド壁のうちの一つの壁面の一部分に接触することを特徴とする引き出しスライドレール。
【請求項２】
前記ベースは、サポート部材を有し、
前記縦方向本体は、前記ベースのサポート部材の位置に対応した開孔を有し、
前記サポート部材は、前記開孔を通過し、前記縦方向本体に相対する貫通位置に調整されることを特徴とする請求項１に記載の引き出しスライドレール。
【請求項３】
前記サポート部材は、前記ベースから延伸し、
前記ベースは、第一ラックを有し、
前記サポート部材は、第二ラックを有し、前記第二ラックの一部分は、前記第一ラックに対して異なる平面に位置し、前記第一ラックと前記第二ラックとに可動可能に噛み合う調整部材により、前記サポート部材は、前記開孔を通過し、前記縦方向本体に相対する貫通位置に調整されることを特徴とする請求項２に記載の引き出しスライドレール。
【請求項４】
前記第一サポートアームは、前記縦方向本体の一対の第二サイド壁のうちの一つの端部に接触する第二面をさらに有することを特徴とする請求項１に記載の引き出しスライドレール。
【請求項５】
前記ベースは、プラスチック材料により成形されることを特徴とする請求項１に記載の引き出しスライドレール。
【発明の詳細な説明】
【技術分野】
【０００１】
本発明は引き出しスライドレールに関し、特にサポート構造の強度を向上させる引き出しスライドレールに関する。
【背景技術】
【０００２】
本発明人の前案である特許文献１が開示するように、ベース２００は、レール部材１１０の前端に取り付けられる。
ベース２００は、サポート部材３００を有し、サポート部材３００のレール部材１１０に対する高度を調整できる。
これにより、レール部材１１０上に取り付けられる引き出しと引き出しキャビネット体との間の施工間隙は調整される。
【０００３】
前述の設計により、使用者は、引き出しと引き出しキャビネット体との間の施工間隙を調整することができる。
しかし、前述のベース２００を、レール部材１１０に取り付ける際の堅固性と構造上の強度は、完璧ではない。
【先行技術文献】
【特許文献】
【０００４】
【特許文献１】米国特許第ＵＳ８０５２２３４Ｂ２号明細書
【発明の概要】
【発明が解決しようとする課題】
【０００５】
前記先行技術には、ベースを、レール部材に取り付ける際の堅固性と構造上の強度が完璧ではないという欠点がある。
【課題を解決するための手段】
【０００６】
本発明は、サポート構造の強度を向上させることが可能な引き出しスライドレールに関する。
【０００７】
本発明による引き出しスライドレールは、縦方向本体、ベースを有する。
一対の第一サイド壁は、該縦方向本体の前端部の両側から延伸し、及び一対の第二サイド壁は、該一対の第一サイド壁に連接し、該縦方向本体の両側から、該縦方向本体の後端部まで延伸する。
該第一サイド壁は、第一高度を有し、該第二サイド壁は、第二高度を有し、第二高度は、第一高度より高い。
該ベースは、該縦方向本体の前端部に取り付けられ、該ベースは、第一サポートアーム、第二サポートアーム及び第三サポートアームを有する。該ベースの第一サポートアームは、第一面を有し、該縦方向本体の一対の第一サイド壁のうちの一つの底部の一部分に接触し、該ベースの第二サポートアームは、該縦方向本体の一対の第二サイド壁のうちの一つの底部の一部分に接触し、該ベースの第三サポートアームは、該縦方向本体の該一対の第二サイド壁のうちの一つの壁面の一部分に接触する。
【０００８】
好ましくは、該ベースは、サポート部材を有し、該縦方向本体は、開孔を有し、該ベースのサポート部材の位置に対応する。
該サポート部材は、該開孔を通過し、該縦方向本体に相対する貫通位置に調整される。
【０００９】
好ましくは、該サポート部材は、該ベースから延伸し、該ベースは、第一ラックを有し、該サポート部材は、第二ラックを有し、該第二ラックの一部分は、該第一ラックに対して異なる平面に位置する。
該第一ラック及び該第二ラックと可動可能に噛み合う調整部材により、該サポート部材は、開孔を通過し、該縦方向本体に相対する貫通位置に調整される。
【００１０】
好ましくは、該ベースの第一サポートアームは、第二面をさらに有し、該縦方向本体の一対の第二サイド壁のうちの一つの端部に接触する。
【００１１】
好ましくは、該ベースは、プラスチック材料により成形される。
【００１２】
本発明の引き出しスライドレールは、サポート構造の強度を向上させることができる。
【図面の簡単な説明】
【００１３】
【図１】本発明の一実施形態の引き出しスライドレールの分解模式図である。
【図２】本発明の一実施形態の引き出しスライドレールの組合せ外観模式図である。
【図３】本発明の一実施形態の引き出しスライドレールの別種の視角による組合せ外観模式図である。
【図４】本発明の一実施形態の引き出しスライドレールを引き出しシステムに取り付けた模式図で、サポート部材が第一位置にあることを示す。
【図５】本発明の一実施形態の引き出しスライドレールを引き出しシステムに取り付けた模式図で、サポート部材が第二位置に調整されることを示す。
【発明を実施するための形態】
【００１４】
（一実施形態）
図１〜図３に示す通り、本発明の一実施形態の引き出しスライドレールは、縦方向本体１０を有する。
【００１５】
一対の縦方向の第一サイド壁１２は縦方向本体１０の前端部１４の両側から延伸し、及び一対の縦方向の第二サイド壁１６は、一対の第一サイド壁１２に連接し、縦方向本体１０の両側から、縦方向本体１０の後端部１８まで延伸する。
第一サイド壁１２は、第一高度ｈ１を有し、第二サイド壁１６は、第二高度ｈ２を有する。第二高度は、第一高度ｈ１より高い。
【００１６】
本発明の一実施形態の引き出しスライドレールは、ベース２０をさらに有し、ベース２０は縦方向本体１０の前端部１４に取り付けられる。
ベース２０は、第一サポートアーム２２、第二サポートアーム２４及び第三サポートアーム２６を有する。
ベース２０の第一サポートアーム２２は、第一面２８及び第二面３０を有する。
【００１７】
ベース２０を、縦方向本体１０に取り付けると、ベース２０の第一サポートアーム２２の第一面２８は、縦方向本体１０の一対の第一サイド壁１２のうちの一つの底部３２の一部分に接触する。
ベース２０の第一サポートアーム２２の第二面３０は、縦方向本体１０の一対の第二サイド壁１６のうちの一つの端部３４に接触する。
ベース２０の第二サポートアーム２４は、縦方向本体１０の一対の第二サイド壁１６のうちの一つの底部３６の一部分に接触する。
ベース２０の第三サポートアーム２６は、縦方向本体１０の一対の第二サイド壁１６のうちの一つの壁面の内側面３８の一部分に接触する。
【００１８】
一実施形態では、ベース２０は、サポート部材４０を有し、縦方向本体１０は、開孔４２を有する。開孔４２は、ベース２０のサポート部材４０の位置に対応する。
サポート部材４０は、開孔４２を通過し、縦方向本体１０に相対する貫通位置に調整される。
【００１９】
一実施形態では、サポート部材４０は、ベース２０から延伸し、ベース２０は、第一ラック４４を有する。
サポート部材４０は、第二ラック４６を有し、第二ラック４６の一部分は、第一ラック４４に対して異なる平面に位置する。
例えば、第二ラック４６の一部分は、第一ラック４４に対して斜面を呈する。さらに、調整部材４８は、第一ラック４４と第二ラック４６とに可動可能に噛み合う。
【００２０】
応用においては、引き出しスライドレールは引き出しシステムに取り付けられる。
図４及び図５に示す通り、引き出しシステムは、引き出し５０、固定レール５２、及びキャビネット体５４を有する。
引き出しスライドレールの縦方向本体１０は、固定レール５２に対して、キャビネット体５４内から引き出され、或いはキャビネット体５４内に押入れられて収納される。
上述の配置により、サポート部材４０は、調整部材４８を通して、縦方向本体１０に対する貫通位置を調整され、これにより引き出し５０とキャビネット体５４との間の施工間隙も調整される。
【００２１】
一実施形態では、ベース２０は、プラスチック材料により成形される。
上述の説明のように、ベース２０は縦方向本体１０に堅固に取り付けられ、サポート構造の強度を向上させることができる。
【００２２】
前述した本発明の実施形態は本発明を限定するものではなく、本発明により保護される範囲は特許請求の範囲を基準とする。
【符号の説明】
【００２３】
１０  縦方向本体、
１２  第一サイド壁、
１４  前端部、
１６  第二サイド壁、
１８  後端部、
２０  ベース、
２２  第一サポートアーム、
２４  第二サポートアーム、
２６  第三サポートアーム、
２８  第一面、
３０  第二面、
３２  底部、
３４  端部、
３６  底部、
３８  内側面、
４０  サポート部材、
４２  開孔、
４４  第一ラック、
４６  第二ラック、
４８  調整部材、
５０  引き出し、
５２  固定レール、
５４  キャビネット体、
ｈ１  第一高度、
ｈ２  第二高度。
【図１】
0006322677.tif 000002
【図２】
0006322677.tif 000003
【図３】
0006322677.tif 000004
【図４】
0006322677.tif 000005
【図５】
0006322677.tif 000006